(57)【特許請求の範囲】
【請求項１】
前面側の下部位置に遊技球を受け入れる下受皿を備えてなるパチンコ遊技機において、
下方傾斜する下受皿の下底面の、その下位側に対応する下受皿の側壁部に隣接させて、遊技球を装入することによって、所定数の遊技球を計量し得るように矩形状の底面を備えた枡状計量皿を配設すると共に、
下受皿の側壁部に、遊技球を流下させて計量皿内に案内する球通路と、該球通路を開閉可能に遮蔽する遮蔽扉とを備えたことを特徴とするパチンコ遊技機。
【請求項２】
計量皿が、整列された遊技球により所定個数を規定する計量段を、複数段生成し得る容積を備えていることを特徴とする請求項１に記載したパチンコ遊技機。
【請求項３】
計量皿を着脱可能としたことを特徴とする請求項１又は請求項２に記載したパチンコ遊技機。
【請求項４】
計量皿を前縁側で軸支して回動可能に設け、該計量皿を、遊技球が装入される水平状に保持された定常位置と、後縁が上部前方に回動して計量皿内の遊技球を排出する排出位置とに変換可能としたことを特徴とする請求項１又は請求項２に記載したパチンコ遊技機。
【請求項５】
前面側の下部位置に遊技球を受け入れる下受皿が配設され、該下受皿の底面に開閉可能な球抜き孔を備えてなるパチンコ遊技機において、
前記下受皿内に、遊技球を整列させることにより所定数の遊技球を計量し得る計量領域を区画形成すると共に、球抜き孔に向けて下方傾斜する計量領域の低位側に、起立状態で所定数の遊技球を係留し、伏臥状態で該遊技球を開放する区画部材を配設したことを特徴とするパチンコ遊技機。
【請求項６】
区画部材の伏臥動作を、球抜き孔の開放操作に連動させるようにしたことを特徴とする請求項５に記載したパチンコ遊技機。
【発明の詳細な説明】
【０００１】
【発明の属する技術分野】
本発明は、比較的少額の景品との交換に際して、所要量の遊技球を簡単に計量することが可能な構成を備えたパチンコ遊技機に関する。
【０００２】
【従来の技術】
一般に、パチンコ遊技機にあっては、遊技機の前面下部に上受皿と下受皿が段設されており、上受皿の遊技球を球送り機構により一球ずつ発射レール始端の発射位置に自動的に供給し、発射ハンドルの回動操作によって発射位置の遊技球を発射杆で打圧することにより、遊技球が遊技盤面に順次打ち出される。また、遊技盤面の入賞口に遊技球が入賞すると所定数の賞球が払い出される。この払い出された賞球は上受皿に送られるが、上受皿が満杯になると自動的に下受皿側に流れるようになっている。
【０００３】
【発明が解決しようとする課題】
ところで、遊技者が手持ちの遊技球の一部を、例えば煙草などの比較的少額の景品と交換する場合には、所望の景品の価額に相当すると思われる適量の遊技球を目分量で掴み取って、島（列設された遊技機の一群）の端などに設けられた球計数機まで持っていき、該球計数機に表示される計数量を確認し乍ら所要量の遊技球を流し込む。そして、該球計数機から計数後に発行されるシートやカード等の球数記録媒体を介して景品交換を受けている。
【０００４】
しかし乍ら、遊技機から球計数機まで持っていく遊技球は、目分量で掴み取ったものであり、遊技者自身が一々手作業で正確に数えたりはしない。このため、球計数機で計数すると所望の景品に見合う球数が不足していることがあり、このような場合には、その不足分を遊技機まで取りに戻らなければならないという問題点があった。
【０００５】
本発明は、かかる問題点の解消を試みたものであって、数十個程度の少量の遊技球を簡単に計量し得るようにすることを目的とするものである。
【０００６】
【課題を解決するための手段】
本発明は、前面側の下部位置に遊技球を受け入れる下受皿を備えてなるパチンコ遊技機において、前記下受皿の近傍に、遊技球を装入することにより所定数の遊技球を計量し得る計量皿を配設したことを特徴とするパチンコ遊技機である。
【０００７】
かかる構成にあって、計量皿内に遊技球を装入して整列させると、所定数の遊技球を計量することができる。これにより、手持ちの遊技球の一部を比較的少額の景品と交換する際に、一々手作業で数える必要がなく、所望の景品に見合う球数を過不足なく球計数機まで持っていくことができる。
【０００８】
また、前記計量皿が、整列された遊技球により所定個数を規定する計量段を、複数段生成し得る容積を備えてなるものとする構成が提案される。これにより、計量皿が占める平面的スペースを縮小することができ、下受皿の近傍の狭小スペースに計量皿を収まりよく配設し得るものとなる。
【０００９】
さらに、下受皿に、遊技球を流下させて計量皿内に案内する球通路と、該球通路を開閉可能に遮蔽する遮蔽扉とを設けるようにしているから、下受皿に貯留されている遊技球を、遮蔽扉の開放操作を介して、計量皿内に自動的に装入することが可能となる。
【００１０】
また、計量皿を着脱可能に設ければ、計量した所定数の遊技球を移し替えることなく、該計量皿に入れたままで球計数機まで持っていくことができる。
【００１１】
さらに、計量皿を前縁側で軸支して回動可能に設け、該計量皿を、遊技球が装入される水平状に保持された定常位置と、後縁が上部前方に回動して計量皿内の遊技球を排出する排出位置とに変換可能にしてもよい。これにより、計量皿の後縁を上部前方に回動させれば、計量皿内の遊技球を簡単に排出することができるとともに、計量皿の紛失を防止し得るものとなる。
【００１２】
また、本発明は、前面側の下部位置に遊技球を受け入れる下受皿が配設され、該下受皿の底面に開閉可能な球抜き孔を備えてなるパチンコ遊技機において、前記下受皿内に、遊技球を整列させることにより所定数の遊技球を計量し得る計量領域を区画形成したことを特徴とするパチンコ遊技機である。
【００１３】
かかる構成にあっては、下受皿内に区画形成した計量領域で所定数の遊技球を計量し得るので、前記発明と同様に、手持ちの遊技球の一部を比較的少額の景品と交換する際に、一々手作業で数える必要がなく、所望の景品に見合う球数を過不足なく球計数機まで持っていくことができる。また、前記発明における計量皿が不要であるため、該計量皿の配設スペースを必要とせず、さらなる省スペース化が可能となる。
【００１４】
また、前記構成にあって、球抜き孔に向けて下方傾斜する計量領域の低位側に、起立状態で所定数の遊技球を係留し、伏臥状態で該遊技球を開放する区画部材を配設する構成が提案される。このように、起立状態と伏臥状態の何れかに変化する区画部材を設けることにより、必要に応じて、下受皿内に計量領域を区画形成することができるとともに、該区画部材を伏臥状態にすると、係留されていた所定数の遊技球を球抜き孔に向けて流下させることができる。
【００１５】
さらに、該区画部材の伏臥動作を、球抜き孔の開放操作に連動させるようにしてもよい。これにより、球抜き孔を開放することによって、区画部材に係留されていた所定数の遊技球を球抜き孔から自動的に排出させることができる。
【００１６】
【発明の実施の形態】
以下に、本発明の第一実施例を、図１〜図６について説明する。パチンコ遊技機１は、図１に示すように、機枠２の前面に開閉可能な前面枠３が配設され、該前面枠３には遊技盤面を覆うガラス扉４と、上受皿５を備えた上受皿パネル６とが夫々開閉可能に軸着されている。また、前面枠３の下縁部には、上受皿５の下方に位置させて下受皿７が配設されており、さらに下受皿７の右側方に発射ハンドル８が配設されている。
【００１７】
パチンコ遊技機１の左側部にはプリペイド式の球貸し機９が付設されており、該球貸し機９にプリペイドカードを挿入した状態で、所定のボタン操作を介して遊技球の借り受け操作を行うことにより、借り受け希望額に相当する数の遊技球が、上受皿５の球出口１０から貸し出される。また、発射ハンドル８の回動操作によって遊技盤面に打ち出される上受皿５の遊技球が、図示しない遊技盤面の入賞口に入賞すると所定数の賞球が払い出される。この払い出された賞球は上受皿５の球出口１０から排出されるが、上受皿５が満杯になるとパチンコ遊技機１の裏面に配設されている図示しない振り分け通路を遊技球が流下して下受皿７の球出口１１から排出され、該下受皿７内に貯留されるようになっている。
【００１８】
また、前記下受皿７の下底面は、図３に示すように、一方向に向けて緩やかに下方傾斜しており、その下位側となる端部に位置させて上下方向に貫通する球抜き孔１２が形成されている。該球抜き孔１２には、摺動可能な遮蔽蓋１３が配設されており、この遮蔽蓋１３から延成されたレバー部１３’が、図１に示すように、下受皿７の前面側に突設されている。そして、該レバー部１３’に対する左右方向のスライド操作を介して前記球抜き孔１２を開閉し得るようになっている。
【００１９】
前記下受皿７の近傍には、計量皿１４が配設されている。該計量皿１４は、上述したように下方傾斜する下受皿７の下底面の、その下位側に対応する下受皿７の側壁部１５に隣接させて配設されており、遊技球を装入することによって、所定数の遊技球を計量し得るように矩形状の底面を備えた枡状に形成されている。ここで、該計量皿１４は、整列された遊技球により所定個数を規定する計量段を、複数段生成し得る容積を備えており、図２ロ，図３には左右方向に沿って６個の遊技球を前後方向に亘って５列整列させることによって、その整列した遊技球により３０個を規定する計量段を、上下二段に亘って生成させるようにした構成が例示されている。
【００２０】
また、前記側壁部１５には、図３に示すように、下受皿７の遊技球を流下させて計量皿１４内に案内する球通路１６が形成されており、さらに該球通路１６を開閉可能に遮蔽する遮蔽扉１７が配設されている。この遮蔽扉１７は、前後方向に沿って摺動可能に設けられており、常時は圧縮バネ１８の弾発力を介して、球通路１６を遮蔽する前方向に付勢されている。そして、操作ノブ１９に対する後方向への押圧操作を介して球通路１６を開放し得るようになっている。
【００２１】
さらに、前記計量皿１４の背面には、図６イ，ロに示すように、前面枠３に突設された係止部材２０に係合可能な係合溝２１が形成されており、該係合溝２１と係止部材２０との係合及びその解除を介して、計量皿１４が着脱可能に設けられている。
【００２２】
かかる構成にあって、図２イに示すように、下受皿７に遊技球が貯留されている状態において、球通路１６を遮蔽している遮蔽扉１７の操作ノブ１９を後方向へ押圧操作すると球通路１６が開放され、図２ロに示すように、遊技球が該球通路１６を流下して計量皿１４内に装入される。そして、この計量皿１４内に装入された遊技球を該計量皿１４の底面に整列させることにより、一段で３０個の遊技球が計量される。ここで、所望の景品に見合う球数が例えば６０個の場合には、図３に示すように、上下二段に亘って遊技球を整列させることにより、所望の球数を簡単に計量することができる。これにより、手持ちの遊技球の一部を比較的少額の景品と交換する際に、一々手作業で数える必要がなく、所望の景品に見合う球数を過不足なく球計数機まで持っていくことができる。また、計量皿１４は上述したように着脱可能であるため、該計量皿１４を取り外せば、計量した所定数の遊技球を移し替えることなく、計量皿１４に入れたままで球計数機まで持っていくことができる。
【００２３】
尚、上記第一実施例では、下受皿７の側壁部１５に、遊技球を流下させて計量皿１４内に案内する球通路１６と、該球通路１６を開閉可能に遮蔽する遮蔽扉１７とを配設して、計量皿１４内に遊技球を自動的に装入する装入手段としているが、計量皿１４への遊技球の装入は、遊技球を手で掴んで上方から直接計量皿１４へ装入するようにしてもよい。この場合には、上述の球通路１６と遮蔽扉１７とからなる装入手段を除去することができる。また、計量皿１４を下受皿７の側傍に隣接させて配設しているが、これに代えて該計量皿１４を下受皿７の下側に配設してもよい。
【００２４】
また、上記第一実施例では、計量皿１４を着脱可能としているが、これに代わる変形実施例として、図７に示すように、計量皿１４の前縁側を支軸２２で軸支して回動可能に設け、図７イに示すように、該計量皿１４を、遊技球が装入される水平状に保持された定常位置と、図７ロに示すように、後縁が上部前方に回動して計量皿１４内の遊技球を排出する排出位置とに変換し得るように構成してもよい。これにより、計量皿１４の後縁を上部前方に回動させれば、計量皿１４内の遊技球を簡単に排出することができ、また、計量皿１４がパチンコ遊技機１から離脱しないため、該計量皿１４の紛失を防止することができる。
【００２５】
図８〜図１０は、本発明の第二実施例を示し、この実施例は、遊技球を整列させることにより所定数の遊技球を計量し得る計量領域２３を、下受皿７内に区画形成したものである。
【００２６】
前記計量領域２３は、図８イに示すように、左右方向に沿って１０個の遊技球を前後方向に亘って６列整列させ得る広さを備えている。また、球抜き孔１２に向けて下方傾斜する計量領域２３の低位側には、図９イに示すように、起立状態で所定数の遊技球を係留し、かつ図９ロに示すように、伏臥状態で該遊技球を開放する区画部材２４が配設されている。
【００２７】
該区画部材２４は、支軸２５により起倒可能に軸支され、常時は引張バネ２６の付勢を介して起立状態に保持されている。また、球抜き孔１２に配設されている左右方向に摺動可能な遮蔽蓋１３の後端縁が、これに対向する区画部材２４の下部側縁に当接可能に設けられている。そして、レバー部１３’に対するスライド操作を介して、遮蔽蓋１３を開放方向（図９イにおいて左方向）にスライドさせることにより、図９ロに示すように、区画部材２４の下部側縁が押圧されて回動し、該区画部材２４が伏臥状態となる。これにより、区画部材２４の伏臥動作を球抜き孔１２の開放操作に連動させ得るようになっている。
【００２８】
かかる構成にあって、図８イに示すように、下受皿７の計量領域２３内に遊技球を整列させることにより、６０個の遊技球が計量される。ここで、図８ロに示すように、計量領域２３に一列毎の球数を示す目盛り２７を表示しておくことにより、極めて容易にその球数を把握することが可能となる。そして、このように所定数の遊技球を計量した後、レバー部１３’に対するスライド操作を介して、遮蔽蓋１３を開放方向にスライドさせて球抜き孔１２を開放すると、図８ロ，図９ロに示すように、その開放操作に連動して区画部材２４が伏臥状態となり、係留されていた所定数の遊技球が開放されて球抜き孔１２から流出することとなる。これにより、所定数の遊技球を球抜き孔１２から抜き取ることができ、手持ちの遊技球の一部を比較的少額の景品と交換する際に、一々手作業で数える必要がなく、所望の景品に見合う球数を過不足なく球計数機まで持っていくことができる。
【００２９】
尚、計量領域２３で計量した所定数の遊技球は、下受皿７から手で直接掻き出すことも可能であり、この場合には、区画部材２４の伏臥動作を球抜き孔１２の開放操作に連動させる構成は必要ない。また、区画部材２４を、起立状態と伏臥状態の何れかに変化するように設けることにより、必要に応じて、下受皿７内に計量領域２３を区画形成し得る利点がある。
【００３０】
【発明の効果】
本発明は上述したように、下受皿の近傍に、遊技球を装入することにより所定数の遊技球を計量し得る計量皿を配設したパチンコ遊技機であるから、計量皿への装入によって所定数の遊技球を簡単に計量することができる。これにより、手持ちの遊技球の一部を比較的少額の景品と交換する際に、一々手作業で数える必要がなく、所望の景品に見合う球数を過不足なく球計数機まで持っていくことができる。
【００３１】
また、前記計量皿が、整列された遊技球により所定個数を規定する計量段を、複数段生成し得る容積を備えているように構成することにより、計量皿が占める平面的スペースを縮小することができ、下受皿の近傍の狭小スペースに計量皿を収まりよく配設し得るものとなる。
【００３２】
さらに、下受皿に、遊技球を流下させて計量皿内に案内する球通路と、該球通路を開閉可能に遮蔽する遮蔽扉とを設けることにより、下受皿に貯留されている遊技球を、遮蔽扉の開放操作を介して、計量皿内に自動的に装入することが可能となる。
【００３３】
また、計量皿を着脱可能に設ければ、計量した所定数の遊技球を移し替えることなく、該計量皿に入れたままで球計数機まで持っていくことができる。
【００３４】
さらに、計量皿を前縁側で軸支して回動可能に設け、該計量皿を、遊技球が装入される水平状に保持された定常位置と、後縁が上部前方に回動して計量皿内の遊技球を排出する排出位置とに変換可能にすることにより、計量皿の後縁を上部前方に回動させれば、計量皿内の遊技球を簡単に排出することができるとともに、計量皿の紛失を防止し得るものとなる。
【００３５】
また、本発明は、下受皿内に、遊技球を整列させることにより所定数の遊技球を計量し得る計量領域を区画形成したパチンコ遊技機であるから、計量領域に遊技球を整列させることによって、所定数の遊技球を簡単に計量することができる。これにより、手持ちの遊技球の一部を比較的少額の景品と交換する際に、一々手作業で数える必要がなく、所望の景品に見合う球数を過不足なく球計数機まで持っていくことができる。また、前記発明における計量皿が不要であるため、該計量皿の配設スペースを必要とせず、さらなる省スペース化が可能となる。
【００３６】
また、前記構成にあって、球抜き孔に向けて下方傾斜する計量領域の低位側に、起立状態で所定数の遊技球を係留し、伏臥状態で該遊技球を開放する区画部材を配設すれば、必要に応じて、下受皿内に計量領域を区画形成することができるとともに、該区画部材を伏臥状態にすると、係留されていた所定数の遊技球を球抜き孔に向けて流下させることができる。
【００３７】
さらに、前記区画部材の伏臥動作を、球抜き孔の開放操作に連動させるようにすれば、球抜き孔を開放することによって、区画部材に係留されていた所定数の遊技球を球抜き孔から自動的に排出させることができる。
【図面の簡単な説明】
【図１】本発明の第一実施例にかかるパチンコ遊技機の下半部を示す斜視図である。
【図２】計量皿と下受皿の平面図である。
【図３】計量皿と下受皿の縦断面図である。
【図４】計量皿の斜視図である。
【図５】計量皿を取り外した状態を示す斜視図である。
【図６】計量皿の作用状態説明図である。
【図７】変形実施例にかかる計量皿の作用状態を示す側断面図である。
【図８】第二実施例の平面図である。
【図９】同上の縦断面図である。
【図１０】区画部材と遮蔽蓋の斜視図である。
【符号の説明】
１  パチンコ遊技機
７  下受皿
１２  球抜き孔
１４  計量皿
１５  側壁部
１６  球通路
１７  遮蔽扉
２３  計量領域
２４  区画部材
【図１】
0003756080.tif 000002
【図２】
0003756080.tif 000003
【図３】
0003756080.tif 000004
【図４】
0003756080.tif 000005
【図５】
0003756080.tif 000006
【図６】
0003756080.tif 000007
【図７】
0003756080.tif 000008
【図８】
0003756080.tif 000009
【図９】
0003756080.tif 000010
【図１０】
0003756080.tif 000011